(57)【要約】【課題】混銑車への搬入、搬出、分解、組み立てが容易であり、それにかかる工数を削減できる不定形耐火物施工用の中子を提案する。【解決手段】周方向に沿う端縁、長手方向に沿う端縁をそれぞれ相互に連係させ、混銑車の内側に敷設された永久煉瓦層１ｂとの相互間に、不定形耐火物の充填空間Ｍを形成する複数の中子パネル２を備えた混銑車の不定形耐火物施工用中子において、該中子を、中子パネル２と、該中子パネル２を支持する支持フレーム３とで構成する。そして、そのうちの支持フレーム３については、混銑車の内側でその周りに沿って周回し、かつ、該混銑車の長手方向に沿い間隔をおいて配列された複数の環状体３ａと、これら環状体３ａの周りに沿い間隔をおいて配置される少なくとも１本の棒状体３ｂからなるものとする。【選択図】図１
2013057091.tif 000002
【特許請求の範囲】
【請求項１】
周方向に沿う端縁、長手方向に沿う端縁をそれぞれ相互に連係させ、混銑車の内側に敷設された永久煉瓦層との相互間に、不定形耐火物の充填空間を形成する複数の中子パネルを備えた混銑車の不定形耐火物施工用中子であって、
前記中子パネルは、その内側にて該中子パネルを支持する支持フレームを有し、
前記支持フレームが、前記混銑車の内側でその周りに沿って周回し、かつ、該混銑車の長手方向に沿い間隔をおいて配列された複数の環状体と、これら環状体の周りに沿い間隔をおいて配置される少なくとも１本の棒状体からなることを特徴とする混銑車の不定形耐火物施工用中子。
【請求項２】
前記環状体および前記棒状体は、それぞれ、複数の構成部材に分割可能なセグメントからなることを特徴とする請求項１に記載した混銑車の不定形耐火物施工用中子。
【請求項３】
前記中子パネルが、炭素繊維にて構成された帯状体からなることを特徴とする請求項１または２に記載した混銑車の不定形耐火物施工用中子。
【請求項４】
前記環状体および前記棒状体は、アルミパイプからなることを特徴とする請求項１〜３のいずれか１に記載した混銑車の不定形耐火物施工用中子。
【発明の詳細な説明】
【技術分野】
【０００１】
本発明は、混銑車（トピードカー）の内側に不定形耐火物を施工するのに好適な中子に関するものである。
【背景技術】
【０００２】
高炉から排出された溶銑は、通常、胴体の中央部に比較的小さな炉口を有する魚雷形状をなした混銑車によって転炉工場へと運搬される。
【０００３】
前記混銑車は、輸送中における溶銑の温度降下を抑制する観点から、その内側には、直方体状の耐火レンガを内面形状に沿わせて積み上げた耐火物層が形成されている。
【０００４】
ところで、該耐火物層を形成するためのレンガ積み作業は、熟練を要するうえ、狭い空間内での作業になることから、その施工に際しては多大な時間がかかっているのが現状であった。
【０００５】
このため、近年では、鉄皮の表面に敷設された永久煉瓦の上に不定形耐火物を流し込むことによって耐火物層を形成する施工技術が開発されており、この点に関する先行技術としては、例えば、特許文献１が参照される。
【０００６】
上記特許文献１は、混銑車内面の耐火物施工面を形成する中子を、該混銑車の長手軸方向および円周方向に複数分割した中子パネルとなし、該中子パネルの長手軸方向および円周方向につき、その適宜箇所に寸法調整用の空隙を形成し、該寸法調整用の空隙の箇所で対向する中子パネルのうち一方の中子パネルに補助パネルを設け、該補助パネルを他方の中子パネルの外周面にすり合わせ状態で重ね、該対向する中子パネルの間に不定形耐火物の施工土圧に耐えるのに十分な力で中子パネル相互を押圧する押圧駆動装置を配設した混銑車の不定形耐火物施工用中子に関するものである。
【０００７】
そしてかかる中子によれば、中子パネルの、混銑車への取り込み、炉内での中子パネルの位置決め、組み立て作業が容易であり、中子パネル相互の締結を強固にすることができるため、それにかかる工数を著しく削減することができるとされていた。
【先行技術文献】
【特許文献】
【０００８】
【特許文献１】特開２００１−１５２２２７号公報
【発明の概要】
【発明が解決しようとする課題】
【０００９】
しかしながら、この種の中子については、その搬入、搬出作業、位置決め作業あるいは組み立て、分解作業にかかる工数の、より一層の削減が求められている。
【００１０】
そこで、本発明の目的は、中子パネルの搬入、搬出、位置決め、組み立て、分解作業を容易にし、これらの作業にかかる工数をより一層削減するのに有利な混銑車の不定形耐火物施工用中子を提案するところにある。
【課題を解決するための手段】
【００１１】
本発明は、周方向に沿う端縁、長手方向に沿う端縁をそれぞれ相互に連係させて混銑車の内側に敷設された永久煉瓦層との相互間に、不定形耐火物の充填空間を形成する複数の中子パネルを備えた混銑車の不定形耐火物施工用中子であって、前記中子パネルは、その内側にて該中子パネルを支持する支持フレームを有し、前記支持フレームが、前記混銑車の内側でその周りに沿って周回し、かつ、該混銑車の長手方向に沿い間隔をおいて配列された複数の環状体と、これら環状体の周りに沿い間隔をおいて配置される少なくとも１本の棒状体からなることを特徴とする混銑車の不定形耐火物施工用中子である。
【００１２】
上記の構成からなる混銑車の不定形耐火物施工用中子においては、
（１）前記環状体および前記棒状体を、それぞれ、複数の構成部材に分割可能なセグメントからなるもので構成すること、
（２）前記中子パネルを、炭素繊維にて構成された帯状体を適用すること、
さらに、
（３）前記環状体および前記棒状体を、アルミパイプで構成すること、
が本発明の課題を解決するための手段としてとくに好ましい。
【発明の効果】
【００１３】
上記のような構成を有する本発明によれば、混銑車の内側でその周りに沿って周回し、かつ、該混銑車の長手方向に沿い間隔をおいて配列された複数の環状体と、これら環状体の周りに沿い間隔をおいて配置され、該環状帯に接続する少なくとも１本の棒状体とによって支持フレームを構成し、この支持フレームで中子パネルを支持するようにしたため、混銑車内でのパネルの位置決め、組み立て、分解が容易になる。
【００１４】
また、本発明にかかる混銑車の不定形耐火物施工用中子によれば、前記環状体および前記棒状体を、それぞれ、複数の構成部材に分割可能なセグメントにて構成したため、混銑車内への部材の搬入、搬出が簡単に行える。
【００１５】
また、本発明による混銑車の不定形耐火物施工用中子によれば、中子パネルを、炭素繊維にて構成された帯状体で構成したことにより、該部材の軽量化、該部材の強度の改善が可能となり、効率的な搬入、搬出、組み立て、分解が可能となるだけでなく、不定形耐火物を流し込む空間を確実に形成、保持できる。
【００１６】
さらに、上記の構成からなる本発明の混銑車の不定形耐火物施工用中子によれば、前記環状体および前記棒状体を、アルミパイプにて構成したため、該部材の、炉内への搬入あるいは搬出が容易になると共に、効率的な組み立て、分解が行える。
【図面の簡単な説明】
【００１７】
【図１】本発明に従う不定形耐火物施工用中子を混銑車内で組み立てた状態を示した図であり、（ａ）は、その側面を断面で示した図であり、（ｂ）は、（ａ）のＤ―Ｄ端面を示した図である。
【図２】図１に示した中子の外観斜視図である。
【図３】（ａ）は、環状体の要部を一部断面で示した図であり、（ｂ）は、棒状体の要部を一部断面で示した図である。
【図４】（ａ）は中子パネルの周方向の連係状況を示した図であり、（ｂ）は中子パネルの長手方向の連係状況を示した図である。
【図５】（ａ）は中子パネルを周方向に押圧する押圧手段の配置状況を示した図であり、（ｂ）は中子パネルを長手方向に押圧する押圧手段の配置状況を示した図である。
【図６】中子パネルの分割例を示した図であり、（ａ）は図１のＡ−Ａ端面を示した図であり、（ｂ）は図１のＢ−Ｂ端面を示した図であり、（ｃ）は図１のＣ―Ｃ端面を示した図であり、（ｄ）は図１のＤ―Ｄ端面を示した図である。
【発明を実施するための形態】
【００１８】
以下、図面を参照して本発明をより具体的に説明する。
図１（ａ）（ｂ）は、本発明に従う不定形耐火物施工用中子を混銑車内で組立て、中子パネルを支持した状態を模式的に示した図である。
【００１９】
図における符号１は、その内側に溶銑を収納して運搬する混銑車である。この混銑車１は、胴部本体の前後がそれぞれ先細りになる魚雷形状をなす鉄皮１ａを備えており、その内側には耐火物層が形成されている。
【００２０】
上記耐火物層とは、ここでは、永久煉瓦層１ｂと、不定形耐火物を流し込むことによって補修することを可能とする不定形耐火物層とからなるものをいうこととする（不定形耐火物層は図示していない）。
【００２１】
また、符号２は、永久煉瓦層１ｂとの間に不定形耐火物を流し込む充填空間Ｍを形成するための中子パネルである。この中子パネル２は、炭素繊維にて形成された帯状体を適用することができるもの（軽量で強度が高い）であって、混銑車の周りおよびその長手方向に沿ってそれぞれ分割された複数枚（先端、後端に位置する円板状のパネルを含む）からなっており、周方向に沿う端面、長手方向に沿う端面を相互に緊密に連係させることで充填空間Ｍを形成する。
【００２２】
また、図における符号３は、中子パネル２の内側に配され、該中子パネル２を支持する支持フレームである。この支持フレーム３は、その外観形状を図２に示すように、混銑車の内側でその周りに沿って周回する環状体３ａと、同じく、アルミパイプ等からなり、該環状体３ａの周りに沿い間隔をおいて配置される複数本の棒状体３ｂとから構成される。
【００２３】
上記支持フレーム３を構成する環状体３ａは、混銑車の先端から後端に向け間隔をおいて複数個配列されており、炉口１ｂからの搬入、搬出を容易にするため、図３（ａ）に示すように、短尺棒状部材への分割を可能とするセグメントからなる。
【００２４】
また、上記支持フレーム３を構成する棒状体３ｂは、上記環状体３ａと同様に、炉口１ｂからの搬入、搬出を容易にするため、図３（ｂ）に示すように、短尺棒状部材への分割を可能とするセグメントからなっている。
【００２５】
環状体３ａ、棒状体３ｂの何れも、軽量化のためにアルミパイプの如き部材が適用することができるが、軽量化に有用で、かつ、所望の強度を確保できるものであれば、他の部材を用いることもできる。また、断面形状に関しても円形状のものの他、矩形状を有するものを適用することが可であり、断面形状もとくに限定されることはない。
【００２６】
環状体３ａ、棒状体３ｂにおいて、短尺棒状部材を相互に接続するには、該短尺棒状部材の各端部にブラケットを設けておき、該フランジ部を利用してボルトにより連結するか、あるいは、一方の端部に穴部を設け、もう一方の端部に凸部を設け、この凸部を、該穴部に差し込むことによって連結する図３（ａ）（ｂ）に示すような構造を適用することができる。
【００２７】
また、環状体３ａと棒状体３ｂとは、ボルト、ナットあるいはその他、従来機知の締結手段によって連結される。
【００２８】
さらに、図１における符号４は、混銑車の底部において中子パネル２を、支持フレーム３と共に所定間隔（充填空間Ｍを形成できる間隔）をもって支えるスペーサー（ジャッキ等）、５は、中子パネル２の内側を密閉状態に保持するための開閉蓋である。
【００２９】
本発明における中子は、混銑車内において組み立てられた支持フレーム３の外表面に順次に中子パネル２を配置、固定することによって組み立てられるものであり、不定形耐火物を流し込む充填空間Ｍを効率的に形成することができる。
【００３０】
また、中子パネル２には、図４（ａ）（ｂ）に示すように、その内側面に、混銑車の周方向、長手方向の端縁でそれぞれ内側に向かって立ち上がる起立片２ａ、２ｂと、隣接する中子パネル２の外側面に摺り合わせ状態で重ね合わさる補助パネル２ｃ、２ｄを設けることができる。
【００３１】
そして、中子パネル２の相互に位置するボルト６、７を介してそれらを相互に締結することで該中子パネル２同士が周方向、長手方向にそれぞれ連係する。なお、隣接する中子パネル２の間には間隔調整用のスペーサーを配置してもよい。
【００３２】
上記の中子パネル２には、その起立片２ａ、２ｂを利用して、さらに、図５（ａ）（ｂ）に示すような、油圧シリンダーの如き押圧手段８、９を設けることができる。
【００３３】
ボルト６、７による締結に先立ち、押圧手段８、９の作動ロッドをそれぞれ混銑車の周方向および長手方向にそれぞれ作動させて隣接する中子パネル２を押圧することで中子パネル２の相互間に形成される隙間を確実になくすことが可能となる。
【００３４】
押圧手段８、９の設置位置、個数は、中子パネル２の設置枚数に応じて適宜決定されるものであり、この点については本発明ではとくに限定されないが、中子パネル２を周方向に押圧する押圧手段８は、長手方向に配列された中子パネル２の枚数分だけ設置し、該中子パネル２を長手方向に押圧する押圧手段９については、周方向に配列された中子パネル２の枚数分だけ設置するのが好ましい。
【００３５】
なお、径が小さい箇所については、押圧手段を用いずにスペーサーを配置して対応してもよい。
【００３６】
中子パネル２の周方向における分割数は、径の違いに係わりなく周長をほぼ一定とするため、図６（ａ）〜（ｄ）に示すように、径が大きくなるに従い分割枚数を増やすのが望ましく、これにより、中子パネル２の取り扱いが容易となり、効率的な搬入、搬出が行える。
【００３７】
また、中子パネル２が混銑車の周方向、長手方向において連係された状態では、該中子パネル２の、支持フレーム３への固定は、とくに必要はないが、支持フレーム３に固定するかどうかは適宜決定されるものであって、この点についても限定はされない。
【００３８】
充填空間Ｍが形成されたのちにおいては、開閉蓋５を閉じたのち、炉口に形成された隙間（図１の矢印参照）を通して該充填空間Ｍに不定形耐火物を流し込めばよい。
【００３９】
中子の搬出に際しては、棒状体３ｂの取り外し、環状体３ａの取り外しに続いて中子パネル２を取り外せばよく、棒状体３ｂ、環状体３ａは、短尺棒状部材への分割が可能なので、中子パネル２の搬出も極めて効率的に行うことができる。
【００４０】
混銑車内における不定形耐火物層の補修、施工に当たっては、従来は、１４日程度の日数がかかっていたが、本発明に従う中子を用いた場合には、１１日程度の日数で補修、施工を終えることが可能となった。
【産業上の利用可能性】
【００４１】
本発明によれば、中子の組み立て、分解を簡便に行うことが可能であり、不定形耐火物層の施工を効率的に行うことができる。
【符号の説明】
【００４２】
１      混銑車
１ａ    鉄皮
１ｂ    永久煉瓦層
２      中子パネル
２ａ    起立片
２ｂ    起立片
２ｃ    補助パネル
２ｄ    穂魚パネル
３      支持フレーム
３ａ    環状体
３ｂ    棒状体
４      スペーサー
５      開閉蓋
６      ボルト
７      ボルト
８      押圧手段
９      押圧手段
【図１】
2013057091.tif 000003
【図２】
2013057091.tif 000004
【図３】
2013057091.tif 000005
【図４】
2013057091.tif 000006
【図５】
2013057091.tif 000007
【図６】
2013057091.tif 000008